【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
ワイヤレスデバイスによるワイヤレス通信のための方法であって、
基地局に送信されることになるデータのペイロードを取得するとことと、
少なくとも１つのアップリンク制御チャネルと伝送時間間隔（ＴＴＩ）の数とを選択することと、
前記数のＴＴＩにわたって前記少なくとも１つのアップリンク制御チャネルにおいて前記データのペイロードを伝達することと
を備え、ここで前記データのペイロードの異なる部分が異なるＴＴＩにおいて伝達される、方法。
【請求項２】
前記少なくとも１つのアップリンク制御チャネルが、物理アップリンク制御チャネル（ＰＵＣＣＨ）を備える、請求項１に記載の方法。
【請求項３】
前記数のＴＴＩにわたって前記データのペイロードを伝達するための開始サブフレームを決定することをさらに備える、請求項２に記載の方法。
【請求項４】
前記ワイヤレスデバイスが、前記基地局からのランダムアクセスチャネル（ＲＡＣＨ）応答メッセージを受信することに基づいて、所与のＴＴＩにおいて前記ＰＵＣＣＨを送信すべきか否かを決定することをさらに備える、請求項３に記載の方法。
【請求項５】
前記少なくとも１つのアップリンク制御チャネルが、ランダムアクセスチャネル（ＲＡＣＨ）を備え、ここで情報の異なるビットが、異なる時間リソース、異なる周波数リソース、または異なるコード、のうちの少なくとも１つの使用によって伝達される、請求項１に記載の方法。
【請求項６】
前記伝達することは、他のワイヤレスデバイスからの送信が多重化されないリソースブロック（ＲＢ）を使用することを備える、請求項１に記載の方法。
【請求項７】
基地局によるワイヤレス通信のための方法であって、
ワイヤレスデバイスからデータのペイロードを受信することと、前記データのペイロードは、ある数の伝送時間間隔（ＴＴＩ）にわたって少なくとも１つのアップリンク制御チャネルにおいて受信され、ここで、前記データのペイロードの異なる部分が異なるＴＴＩにおいて伝達される、
前記データのペイロードをアセンブルするために、前記異なるＴＴＩにわたって受信された前記少なくとも１つのアップリンク制御チャネルの複数の送信を処理することと
を備える、方法。
【請求項８】
前記少なくとも１つのアップリンク制御チャネルが、物理アップリンク制御チャネル（ＰＵＣＣＨ）を備える、請求項７に記載の方法。
【請求項９】
異なるアップリンク制御チャネルフォーマットが、各ＴＴＩにおいて異なる数のビットを送信する、請求項７に記載の方法。
【請求項１０】
前記少なくとも１つのアップリンク制御チャネルのタイプが、同じアップリンク制御チャネル上で多重化される多数のワイヤレスデバイスに基づいて選択される、請求項９に記載の方法。
【請求項１１】
伝達された前記データのペイロードが、決定された開始サブフレームにおいて開始する、請求項７に記載の方法。
【請求項１２】
前記少なくとも１つのアップリンク制御チャネルが、ランダムアクセスチャネル（ＲＡＣＨ）を備え、ここで、情報の異なるビットが、異なる時間リソース、異なる周波数リソース、または異なるコード、のうちの少なくとも１つの使用によって伝達される、請求項７に記載の方法。
【請求項１３】
ワイヤレスデバイスによるワイヤレス通信のための装置であって、
基地局に送信されることになるデータのペイロードを取得するための手段と、
少なくとも１つのアップリンク制御チャネルと伝送時間間隔（ＴＴＩ）の数とを選択するための手段と、
前記数のＴＴＩにわたって前記少なくとも１つのアップリンク制御チャネルにおいて前記データのペイロードを伝達するための手段と
を備え、前記データのペイロードの異なる部分が異なるＴＴＩにおいて伝達される、装置。
【請求項１４】
基地局によるワイヤレス通信のための装置であって、
ワイヤレスデバイスからデータのペイロードを受信するための手段と、前記データのペイロードは、ある数の伝送時間間隔（ＴＴＩ）にわたって少なくとも１つのアップリンク制御チャネルにおいて受信され、ここで、前記データのペイロードの異なる部分が異なるＴＴＩにおいて伝達される、
前記データのペイロードをアセンブルするために、前記異なるＴＴＩにわたって受信された前記少なくとも１つのアップリンク制御チャネルの複数の送信を処理するための手段と
を備える、装置。
【請求項１５】
コンピュータプログラムであって、請求項１−６、または７−１２の方法のいずれかを実行するための命令を備える、コンピュータプログラム。
【手続補正２】
【補正対象書類名】明細書
【補正対象項目名】００６８
【補正方法】変更
【補正の内容】
【００６８】
[0073]  本開示の先の説明は、当業者が本開示を製造または使用することを可能にするために提供される。本開示に対する様々な修正は、当業者には容易に明らかであり、本明細書で定義された包括的な原理は、本開示の精神または範囲から逸脱せずに、他の変形物に適用され得る。よって、本開示は、本明細書に説明された例および設計に限定されるように意図されたものではなく、本明細書に開示された原理および新規の特徴と矛盾しない最大範囲であると認められるべきである。
以下に、本願出願の当初の特許請求の範囲に記載された発明を付記する。
［Ｃ１］
ワイヤレスデバイスによるワイヤレス通信のための方法であって、
基地局に送信されることになるデータのペイロードを取得するとことと、
少なくとも１つのアップリンク制御チャネルと伝送時間間隔（ＴＴＩ）の数とを選択することと、
前記数のＴＴＩにわたって前記少なくとも１つのアップリンク制御チャネルにおいて前記データのペイロードを伝達することと
を備え、ここで前記データのペイロードの異なる部分が異なるＴＴＩにおいて伝達される、方法。
［Ｃ２］
前記少なくとも１つのアップリンク制御チャネルが、物理アップリンク制御チャネル（ＰＵＣＣＨ）を備える、Ｃ１に記載の方法。
［Ｃ３］
異なるアップリンク制御チャネルフォーマットが、各ＴＴＩにおいて異なる数のビットを送信する、Ｃ２に記載の方法。
［Ｃ４］
複数のＴＴＩにわたって前記データのペイロードを伝達するための開始サブフレームを決定することをさらに備える、Ｃ２に記載の方法。
［Ｃ５］
前記決定が、無線リソース制御（ＲＲＣ）シグナリングに基づいて行われる、Ｃ４に記載の方法。
［Ｃ６］
前記決定が、前記基地局による動的スケジューリングに基づいて行われる、Ｃ４に記載の方法。
［Ｃ７］
前記ワイヤレスデバイスが、前記基地局からのランダムアクセスチャネル（ＲＡＣＨ）応答メッセージを受信することに基づいて、所与のＴＴＩにおいて前記ＰＵＣＣＨを送信すべきか否かを決定することをさらに備える、Ｃ４に記載の方法。
［Ｃ８］
前記少なくとも１つのアップリンク制御チャネルが、ランダムアクセスチャネル（ＲＡＣＨ）を備え、ここで情報の異なるビットが、異なる時間リソース、異なる周波数リソース、または異なるコード、のうちの少なくとも１つの使用によって伝達される、Ｃ１に記載の方法。
［Ｃ９］
セル内干渉ダイバーシティを提供するために、前記ワイヤレスデバイスが、第１の周波数ドメインホッピングパターンを割り当てられ、異なるワイヤレスデバイスが、第２の周波数ドメインホッピングパターンを割り当てられる、Ｃ１に記載の方法。
［Ｃ１０］
前記ワイヤレスデバイスが、他のワイヤレスデバイスからの送信が多重化されないリソースブロック（ＲＢ）を使用して、前記少なくとも１つのアップリンク制御チャネルを送信する、Ｃ１に記載の方法。
［Ｃ１１］
利得を提供するために、反復コード、リードソロモンコード、畳み込みコード、テールバイティング畳み込みコード、ターボコード、および低密度パリティ検査（ＬＤＰＣ）コード、のうちの少なくとも１つを前記データのペイロードに適用することをさらに備える、Ｃ１に記載の方法。
［Ｃ１２］
基地局によるワイヤレス通信のための方法であって、
ワイヤレスデバイスからデータのペイロードを受信することと、前記データのペイロードは、ある数の伝送時間間隔（ＴＴＩ）にわたって少なくとも１つのアップリンク制御チャネルにおいて受信され、ここで、前記データのペイロードの異なる部分が異なるＴＴＩにおいて伝達される、
前記データのペイロードをアセンブルするために、前記異なるＴＴＩにわたって受信された前記少なくとも１つのアップリンク制御チャネルの複数の送信を処理することと
を備える、方法。
［Ｃ１３］
前記少なくとも１つのアップリンク制御チャネルが、物理アップリンク制御チャネル（ＰＵＣＣＨ）を備える、Ｃ１２に記載の方法。
［Ｃ１４］
異なるアップリンク制御チャネルフォーマットが、各ＴＴＩにおいて異なる数のビットを送信する、Ｃ１２に記載の方法。
［Ｃ１５］
前記少なくとも１つのアップリンク制御チャネルのフォーマットが、前記ワイヤレスデバイスと前記基地局との間の経路損失に基づいて選択される、Ｃ１４に記載の方法。
［Ｃ１６］
前記少なくとも１つのアップリンク制御チャネルのフォーマットが、ターゲット信号対雑音比（ＳＮＲ）に基づいて選択される、Ｃ１４に記載の方法。
［Ｃ１７］
前記少なくとも１つのアップリンク制御チャネルのフォーマットが、前記ワイヤレスデバイスのリンクバジェットに基づいて選択される、Ｃ１４に記載の方法。
［Ｃ１８］
前記少なくとも１つのアップリンク制御チャネルのタイプが、同じアップリンク制御チャネル上で多重化される多数のワイヤレスデバイスに基づいて選択される、Ｃ１４に記載の方法。
［Ｃ１９］
伝達された前記データのペイロードが、決定された開始サブフレームにおいて開始する、Ｃ１２に記載の方法。
［Ｃ２０］
無線リソース制御（ＲＲＣ）シグナリングによって前記開始サブフレームを示すことをさらに備える、Ｃ１９に記載の方法。
［Ｃ２１］
前記ワイヤレスデバイスに前記開始サブフレームを動的にシグナリングすることをさらに備える、Ｃ１９に記載の方法。
［Ｃ２２］
ランダムアクセスチャネル（ＲＡＣＨ）応答メッセージによって前記開始サブフレームを示すことをさらに備える、Ｃ１９に記載の方法。
［Ｃ２３］
前記少なくとも１つのアップリンク制御チャネルが、ランダムアクセスチャネル（ＲＡＣＨ）を備え、ここで、情報の異なるビットが、異なる時間リソース、異なる周波数リソース、または異なるコード、のうちの少なくとも１つの使用によって伝達される、Ｃ１２に記載の方法。
［Ｃ２４］
前記少なくとも１つのアップリンク制御チャネルが、他のワイヤレスデバイスからの送信が多重化されないリソースブロック（ＲＢ）において受信される、Ｃ１２に記載の方法。
［Ｃ２５］
反復コード、リードソロモンコード、畳み込みコード、テールバイティング畳み込みコード、ターボコード、および低密度パリティ検査（ＬＤＰＣ）コード、のうちの少なくとも１つが、複数のＴＴＩにわたる前記データのペイロードの異なる部分の誤り保護のために使用される、Ｃ１２に記載の方法。
［Ｃ２６］
前記データのペイロードが、伝達されることになる前記データのペイロードのサイズ、前記基地局における干渉レベル、ターゲット待ち時間、または各ＴＴＩにおいて伝達される数、のうちの少なくとも１つに基づいて決定された数のＴＴＩにわたって伝達される、Ｃ１２に記載の方法。
［Ｃ２７］
前記ワイヤレスデバイスが、第１の周波数ドメインホッピングパターンを割り当てられ、ここで、前記方法が、第２の周波数ドメインホッピングパターンを割り当てられた異なるワイヤレスデバイスからのデータのペイロードを受信することをさらに備える、Ｃ１２に記載の方法。
［Ｃ２８］
ハードビットまたはソフト対数尤度比（ＬＬＲ）のうちの少なくとも１つを使用して各ＴＴＩを復号することをさらに備える、Ｃ１２に記載の方法。
［Ｃ２９］
ワイヤレスデバイスによるワイヤレス通信のための装置であって、
基地局に送信されることになるデータのペイロードを取得するための手段と、
少なくとも１つのアップリンク制御チャネルと伝送時間間隔（ＴＴＩ）の数とを選択するための手段と、
前記数のＴＴＩにわたって前記少なくとも１つのアップリンク制御チャネルにおいて前記データのペイロードを伝達するための手段と
を備え、前記データのペイロードの異なる部分が異なるＴＴＩにおいて伝達される、装置。
［Ｃ３０］
基地局によるワイヤレス通信のための装置であって、
ワイヤレスデバイスからデータのペイロードを受信するための手段と、前記データのペイロードは、ある数の伝送時間間隔（ＴＴＩ）にわたって少なくとも１つのアップリンク制御チャネルにおいて受信され、ここで、前記データのペイロードの異なる部分が異なるＴＴＩにおいて伝達される、
前記データのペイロードをアセンブルするために、前記異なるＴＴＩにわたって受信された前記少なくとも１つのアップリンク制御チャネルの複数の送信を処理するための手段と
を備える、装置。